(57)【要約】【課題】  異なる方向に対し、それぞれ個別の画像を表示することが可能な２画面表示装置において、画像を拡大して表示できるようにする。【解決手段】  １または複数の画像データに基づき、少なくとも２つの異なった方向から見たときにそれぞれ個別の映像の表示が可能なマルチビュー表示部材３と、個別の映像の表示のうちのある一方向から見た映像の表示を他方向から視認させる鏡面部材２とをそなえて構成する。【選択図】        図３
2007008235.tif 000002
【特許請求の範囲】
【請求項１】
１または複数の画像データに基づき、少なくとも２つの異なった方向から見たときにそれぞれ個別の映像の表示が可能なマルチビュー表示部材と、
該個別の映像の表示のうちのある一方向から見た映像の表示を他方向から視認させる鏡面部材とをそなえて構成されたことを特徴とする、表示装置。
【請求項２】
少なくとも２つの異なった方向から見たときにそれぞれ個別の映像の表示が可能なマルチビュー表示部材と、
該個別の映像の表示のうちのある一方向から見た映像の表示を他方向から視認させる鏡面部材と、
１または複数の画像データに基づき、該マルチビュー表示部材に該個別の映像を表示させる表示制御手段とそなえて構成されたことを特徴とする、表示装置。
【請求項３】
該表示制御手段が、上記の一方向から見た映像の表示を左右逆転させる鏡像生成手段を備えて構成されていることを特徴とする、請求項２記載の表示装置。
【請求項４】
上記個別の映像の表示のうちの上記他方向から見た映像の表示を上記一方向から視認させる他の鏡面部材が設けられたことを特徴とする、請求項１〜３のいずれか１項に記載の表示装置。
【請求項５】
該鏡面部材が、上記の個別の映像の表示のうちのある一方向から見た映像の表示を他方向から視認させる使用位置と、上記の個別の映像の表示のうちのある一方向から見た映像の表示を一方向から視認させる収納位置とをとりうるように構成されたことを特徴とする、請求項１〜４のいずれか１項に記載の表示装置。
【請求項６】
該他の鏡面部材が上記の個別の映像の表示のうちの他方向から見た映像の表示を一方向から視認させる使用位置と、上記の個別の映像の表示のうちの他方向から見た映像の表示を他方向から視認させる収納位置とをとりうるように構成されたことを特徴とする、請求項４または請求項５に記載の表示装置。
【請求項７】
該鏡面部材が半光透過性を有するハーフミラーとして構成されたことを特徴とする、請求項１〜６のいずれか１項に記載の表示装置。
【請求項８】
該他の鏡面部材が半光透過性を有するハーフミラーとして構成されたことを特徴とする、請求項４，６，７のいずれか１項に記載の表示装置。
【発明の詳細な説明】
【技術分野】
【０００１】
本発明は、少なくとも２つの異なった方向から見たときにそれぞれ個別の映像の表示が可能なマルチビュー表示部材をそなえた表示装置に関する。
【背景技術】
【０００２】
異なるそれぞれの方向に対して、映像（画像）を個別に表示することができる２画面表示装置が例えば特開平１１−３３１８７６号公報（特許文献１）にて提案されている。
特許文献１の技術によると、一つの表示体で、複数の観察者に対してそれぞれ異なる平面画像もしくは立体画像を同時に観察させることが可能な方向別表示素子と、観測者がその場から操作して信号を送信し自分の観察している表示画像を選択制御するためのリモートコントロール装置と、観測者の観測方向をリモートコントロール装置から送信される信号が発せられた方向を検出する観察方向検出手段とをそなえることにより、一つの表示素子を用いて複数の観測者に対して異なる画像を観察させることを可能にする手段をそなえたマルチ画像表示装置を実現している。
【特許文献１】特開平１１−３３１８７６号公報
【発明の開示】
【発明が解決しようとする課題】
【０００３】
上述のようなマルチ画面表示装置は、主に車載用のビジュアルナビゲーション装置等に用いられることが多いため、その表示部分（ディスプレイ）は、一般的に小型であることが知られている。このため、ディスプレイの画像が見にくいという課題がある。
本発明は、このような課題に鑑みて創案されたもので、異なる方向に対し、それぞれ個別の画像を表示することが可能な２画面表示装置において、画像を拡大して表示できるようにした、表示装置を提供することを目的とする。
【課題を解決するための手段】
【０００４】
このため、請求項１にかかる本発明の表示装置は、１または複数の画像データに基づき、少なくとも２つの異なった方向から見たときにそれぞれ個別の映像の表示が可能なマルチビュー表示部材と、個別の映像の表示のうちのある一方向から見た映像の表示を他方向から視認させる鏡面部材とをそなえて構成されたことを特徴としている。
また、請求項２にかかる本発明の表示装置は、少なくとも２つの異なった方向から見たときにそれぞれ個別の映像の表示が可能なマルチビュー表示部材と、個別の映像の表示のうちのある一方向から見た映像の表示を他方向から視認させる鏡面部材と、１または複数の画像データに基づき、マルチビュー表示部材に個別の映像を表示させる表示制御手段とそなえて構成されたことを特徴としており、さらに、表示制御手段が、上記の一方向から見た映像の表示を左右逆転させる鏡像生成手段を備えて構成されていてもよい（請求項３）。
【０００５】
このとき、上記の表示装置が、上記個別の映像の表示のうちの上記他方向から見た映像の表示を上記一方向から視認させる他の鏡面部材を設けてもよく（請求項４）、また、鏡面部材が、上記の個別の映像の表示のうちのある一方向から見た映像の表示を他方向から視認させる使用位置と、上記の個別の映像の表示のうちのある一方向から見た映像の表示を一方向から視認させる収納位置とをとりうるように構成されてもよい（請求項５）。
【０００６】
さらに、上記の表示装置において、他の鏡面部材が上記の個別の映像の表示のうちの他方向から見た映像の表示を一方向から視認させる使用位置と、上記の個別の映像の表示のうちの他方向から見た映像の表示を他方向から視認させる収納位置とをとりうるように構成されてもよい（請求項６）。
また、鏡面部材が半光透過性を有するハーフミラーとして構成されてもよく（請求項７）、さらに、他の鏡面部材が半光透過性を有するハーフミラーとして構成されてもよい（請求項８）。
【発明の効果】
【０００７】
本発明によれば、マルチ画面表示装置において、画像の拡大表示が可能となり、視認性を向上させることができる。
【発明を実施するための最良の形態】
【０００８】
以下、本発明の表示装置の実施形態について、図面を用いて説明する。
図１は、本表示装置を車室内に設置した場合の設置状況を示す車室内状況図である。本表示装置１は、例えば、車室前方中央付近のインストルメントパネルに設置されており、運転席側（図１の右側）及び助手席側（図１の左側）の両方から視認できる位置にある。
図２は、本表示装置の外観を説明するための図であって、上記の図１及びこの図２に示すように、本表示装置１の表面には、鏡面部材（ミラー）２と、マルチビュー表示部材（以下、「マルチビューディスプレイ」という）３と、スロット部４と、操作部２４とが備えられている。
【０００９】
マルチビューディスプレイ３は、異なった方向から見たときにそれぞれ個別の映像を表示することができるもので、例えば、運転席側（右側）用の映像と助手席側（左側）用の映像とをそれぞれ個別に表示できるものである。即ち、運転席側からマルチビューディスプレイ３に対してある角度をもって映像を見た場合は、例えば道路交通案内情報などを見ることができると同時に、助手席側からマルチビューディスプレイ３に対してある角度をもって映像を見た場合は、例えばＤＶＤの映像などを見ることができるのである。
【００１０】
鏡面部材２は、マルチビューディスプレイ３の側縁部に設けられ、マルチビューディスプレイ３に表示される、ある一方向（この場合では助手席側の方向）に対しての個別の映像を他方向（この場合では運転席側の方向）に反射するものである。これにより、ある一方向（助手席側の方向）に対しての個別の映像を他方向（運転席側の方向）から見ることができるのである。
【００１１】
スロット部４は、ＤＶＤなどのメディアを読み取ることが可能なドライブに設けられるメディアの挿入部であり、ドライブは、表示装置１に内蔵される図３にて後述のＤＶＤプレーヤ１６及びナビゲーション装置１４が接続されている。
また、操作部２４は、種々の操作を外部から実行できるようにするためのものであり、例えば、表示装置１の電源のＯＮ及びＯＦＦや、後述する画像表示制御における制御パターンの設定や、鏡面部材２の位置変更などを命令することができるものである。
【００１２】
次に、表示装置１の構成について説明する。図３は、本表示装置の構成を示す構成図である。
この図３に示すように、本表示装置１は、マルチビューディスプレイ３と、ナビゲーション装置１４と、ＴＶ（テレビ受像装置）１５と、ＤＶＤプレーヤ１６と、画像合成処理部１７と、ＶＲＡＭ（Video  Random  Access  Memory）１８と、ＬＣＤドライバ１９と、センサ２０と、マイコン（マイクロコンピュータ）２１と、操作部２４と、モータドライバ２５と、モータ２６と、鏡面部材２とを備えて構成される。
【００１３】
また、マルチビューディスプレイ３は、偏光板５と、ガラス板６と、バリア７と、ガラス板９と、ＬＣＤ（液晶ディスプレイ：Liquid  Crystal  Display）画素層１０と、ガラス板１１と、偏光板１２と、バックライト１３とを備えて構成されている。
詳細には、マルチビューディスプレイ３は、後方より冷陰極線管により構成されたバックライト１３、偏光板１２、ガラス板１１、液晶やＲＧＢ色フィルタで構成されたＬＣＤ画素層１０、ガラス板９、偏光板５から構成される通常の液晶表示装置の構造に、方向により、見える画像を異ならせるための構造を追加した構造となっている。この追加構造は、光線を遮断するバリア７をガラス板９とガラス板６との間に配置したもので、バリア７の所定位置には光線を通過させる孔８が設けられている。なお、バリア７は、ガラス９またはガラス６に印刷する方法により設けることができる。そして、ＬＣＤ画素層１０の各画素は、左側（助手席側）表示用と、右側（運転席側）表示用とに分けられて表示するように制御される。
【００１４】
つまり、左側表示用画素は、バリア７により右側からは遮断され、孔８により左側よりは見えるようになっており、一方、右側表示用画素は、バリア７により左側からは遮断され、孔８により右側よりは見えるようになっている。即ち、ＬＣＤ画素層１０には、図４に示すように、その左側表示用画素（図中、左と表記されたもの）及び右側表示用画素（図中、右と表記されたもの）が、縦方向にグループ化され交互に並ぶように設けられている。そして、右側に表示される画像は右側表示用画素で表示され、左側に表示される画像は左側表示用画素で表示される。このようなＬＣＤ画素層１０の構成と、バリア７、孔８とにより、右側からは、右側表示用画素で表示される画像だけが見え、また、左側からは、左側表示用画素で表示される画像だけが見えることになる。なお、各画素は、光の三原色であるＲ（赤）Ｇ（緑）Ｂ（青）の画素により構成されている。
【００１５】
なお、バリア７、ＬＣＤ画素層１０の各構成を適宜変更することにより、３方向、複数方向に異なった画像を表示しうる表示装置を実現することもできる。
ナビゲーション装置１４は、目的地までの経路案内を行なうもので、地図上に現在の車両位置、目的地までの経路を描画した画像を出力する。なお、交差点等の案内ポイント等では、案内音声をスピーカより出力する（図示省略）。ＴＶ１５は、車載アンテナ（図示省略）により受信した映像や音声を表示装置１に出力するものである。ＤＶＤプレーヤ１６は、ＤＶＤディスクに記録された画像・音声データ等を読み出して、映像・音声信号に変換して出力するものである。
【００１６】
画像合成処理部１７は、ナビゲーション装置１４、ＴＶ１５、ＤＶＤプレーヤ１６からの画像信号を、マイコン２１からの指令に基づきマルチビューディスプレイ３に表示（出力）すべき画像信号に合成してＶＲＡＭ１８に出力するものである。ＶＲＡＭ１８は、各アドレスがマルチビューディスプレイ３の各画素に対応した構成となっており、マルチビューディスプレイ３の各画素はＶＲＡＭ１８の対応するアドレスのデータに応じた表示状態となる。そして、ＬＣＤドライバ１９は、ＶＲＡＭ１８に格納されたデータに応じて、マルチビューディスプレイ３の各画素を駆動する。
【００１７】
モータドライバ２５は、マイコン２１からの制御を受けて、モータ２６を駆動するものである。モータ２６は、ラックアンドピニオン機構（後述）を介して鏡面部材２と連動しており、鏡面部材２の位置制御を可能にしている。
マイコン２１は、ナビゲーション装置１４、ＴＶ１５、ＤＶＤプレーヤ１６、画像合成処理部１７、ＶＲＡＭ１８、ＬＣＤドライバ１９、マルチビューディスプレイ３、モータドライバ２５、モータ２６の各種動作を制御するもので、ＣＰＵ（Central  Processing  Unit）、ＲＡＭ（Random  Access  Memory）、ＲＯＭ（Read  Only  Memory）、各種インターフェース等により構成され、更にマイコン２１には、センサ２０や、各種操作スイッチからなる操作部２４等からの信号が入力されるようになっている。
【００１８】
なお、センサ２０は、各種センサにより構成されている（図示省略）。例えば、ナビゲーション装置１４に接続されたＧＰＳ（Global  Positioning  System）（図示省略）からの信号に基づき、車両の走行に伴う位置変化、速度変化、振動状態等を検出するセンサや、後述するように鏡面部材２の位置を検出する位置センサ２０ａ，２０ｂ（図５，図６参照）等である。
【００１９】
また、このようなハードウェア構成のマイコン２１は、上記マルチビューディスプレイ３に個別の映像を表示するための表示制御手段３３としての機能を有するほか、鏡像生成手段２２、モータ制御手段２３の機能も有するものである。
ここで、鏡像生成手段２２は、鏡面部材２の使用時に左側表示用の画像あるいは右側表示用の画像を鏡面反転（左右反転）させるものであり、例えば操作部２４からの命令入力などにより画像の鏡面反転化を自在に制御しうる。
【００２０】
モータ制御手段２３は、モータドライバ２５の制御を行なうためのものであり、例えばセンサ２０ａ，２０ｂからの入力により、モータ２６の駆動停止または駆動開始を制御するものである。
次に、図５（Ａ），（Ｂ）を用いて、鏡面部材２の位置制御を説明する。図５（Ａ）に示すように、表示装置１には、マルチビューディスプレイ３が設けられており、その側縁部に鏡面部材２が位置している。そして、この鏡面部材２は、マルチビューディスプレイ３の側縁に対し、突出引込み自在に設けられている。即ち、鏡面部材２は、マルチビューディスプレイ３の側縁から後方に位置するガイド部２８に沿って移動可能に設けられており、図５（Ａ）に示す突出位置（ある一方向から見た映像の表示を他方向から視認させる使用位置）と、図５（Ｂ）に示す引込み位置（ある一方向から見た映像の表示を一方向から視認させる収納位置）とをとりうるようになっている。
【００２１】
また、ガイド部２８の所要の２箇所（鏡面部材２の収納位置を検出しうる位置と、鏡面部材２の使用位置を検出しうる位置）に位置センサ２０ａ，２０ｂが設けられるとともに、鏡面部材２には、位置センサ２０ａ，２０ｂのため、センサ被検出部３０が取り付けられている。
これにより、鏡面部材２が図５（Ｂ）に示すような収納位置にあるときは、位置センサ２０ａがセンサ被検出部３０を検出することにより、鏡面部材２の収納位置を検出し、鏡面部材２が図５（Ａ）に示すような使用位置にあるときは、位置センサ２０ｂがセンサ被検出部３０を検出することにより、鏡面部材２の使用位置を検出できるようになっている。
【００２２】
また、モータ２６が表示装置１に設けられており、このモータ２６は、例えば操作部２４からの動作入力を受けたマイコン２１により制御されたモータドライバ２５により駆動され、鏡面部材２の位置を変更することができるようになっている。このようなモータ２６により、鏡面部材２は、例えば表示装置１を使用する場合には、図５（Ａ）に示すような使用位置になるように制御され、また、例えば表示装置１を使用しない場合には、図５（Ｂ）に示すような収納位置になるように制御される。
【００２３】
これにより、鏡面部材２を、図５（Ａ），（Ｂ）に示すような位置を可動範囲の限界として位置制御することができる。即ち、位置センサ２０ａ，２０ｂが、センサ被検出部３０を検出することにより、マイコン２１に鏡面部材２の位置情報データを送信し、これによりマイコン２１は、モータドライバ２５に位置制御情報を伝達する。そして、モータドライバ２５が、前述の位置制御情報にしたがって、モータ２６を駆動することにより、鏡面部材２の位置を制御するのである。このような位置制御により、鏡面部材２が可動範囲を超えて変位することを防ぐことが可能となる。
【００２４】
次に、図６（Ａ），（Ｂ）を用いて、モータ２６による鏡面部材２の位置変更方法を具体的に説明する。図６（Ａ）に示すように、表示装置１内には、鏡面部材２の上下（図６参照）に沿って配置された１組のガイド部２８が設けられ、また、鏡面部材２の下縁（図６参照）には、ラック２７が設けられ、モータ２６のシャフトには、ギア２９が設けられている。即ち、モータ２６は、ラックアンドピニオン機構を介して鏡面部材２に連係接続されていることになり、これによりモータ２６を駆動制御することで、ギア２９を介して鏡面部材２をガイド部２８に沿って図６の可動方向に移動させることができるのである。
【００２５】
また、この場合においても、図６（Ｂ）に示すように、鏡面部材２に設けられるセンサ被検出部３０と、表示装置１内部に設けられる位置センサ２０ａ，２０ｂにより、鏡面部材２が可動範囲を超えて変位するのを防ぐようなモータ２６の制御が可能となっている。
また、両ガイド部２８の後端部間には、ミラーロック機構３４が設けられており、このミラーロック機構３４は、鏡面部材２が図５（Ｂ）に示す収納位置にあるときに、鏡面部材２をロックし、鏡面部材２を使用位置へ向って移動させる場合は、アンロック状態となるように構成されている。例えば、ミラーロック機構３４としては、電磁石等を用いてロックする電磁式ロック機構、あるいは所定の力で鏡面部材２がバネ力に抗して進入してくるとバネ力で機械的にロックするが、所定の力で鏡面部材２が引っ張られるとバネ力に抗して機械的にロック状態を解除するようなバネの付勢力を用いた機械式ロック機構が用いられる。
【００２６】
次に、図７，図８に示す制御フローを用いて鏡像生成手段２２の動作を説明する。
まず、表示装置１の電源がＯＮされることにより、フローを開始し（ステップＳ１０）、ついで鏡面部材２が図５（Ａ）に示すような使用位置にあるかどうかを判定する（ステップＳ１１）。なお、例えば、この判定処理は、位置センサ２０ａ，２０ｂ、センサ被検出部３０及びマイコン２１により行なわれる。
【００２７】
ここで、鏡面部材２が使用位置にあると判定されれば、鏡像生成処理（図８にて後述）を実行し（ステップＳ１１のｙｅｓルートからステップＳ１２）、鏡面部材２が使用位置にないと判定された場合には、鏡像生成処理をＯＦＦする（ステップＳ１１のｎｏルートからステップＳ１４）。
そして、最後には、表示装置１の電源がＯＦＦされることにより、フローを終了する（ステップＳ１３）。
【００２８】
次に、図８に示すフロー図を用いて鏡像生成処理のフローを詳述する。
まず、上記のように図７のステップＳ１２において、鏡像生成処理に処理が移動すると、フローを開始し（ステップＳ１５）、ついで、ある一方向用の画像（ここでは例えば左側表示用の画像とする）を鏡面反転させる（ステップＳ１６）。この鏡面反転処理は、例えば鏡像生成手段２２において実行され、ある一方向用の画像データを例えばアドレスを逆順に読み込むことで実現される。
【００２９】
次に、鏡面反転されたある一方向用の画像データと、他方向用の画像データとを画像合成処理部１７にて合成する（ステップＳ１７）。ここでの画像合成処理は、左側表示用の画像データと右側表示用の画像データとを、図４に示すような順序で画素単位で交互に並べる処理をいう。
そして、ステップＳ１８において、合成処理部１７にて合成された画像データをＶＲＡＭ１８に書き込み、鏡像生成処理を終了する（ステップＳ１９）。
【００３０】
なお、鏡像生成の方法については、上記以外にも様々な方法が考えられる。例えば、左側表示用画像データについては、通常とアドレスを逆順に、且つ、メモリ領域を常に一定間隔あけてＶＲＡＭ１８に書き込み、一方、右側表示用画像データについては、左側表示用画像データとは反対のアドレス順に、且つ、左側表示用画像データと右側表示用画像データとが交互に配置されるように書き込む方法が考えられる。また、例えば、ＶＲＡＭ１８には、鏡面反転せずに画像データを書き込んでおいて、ＬＣＤドライバ１９がＶＲＡＭ１８から画像データを読み出すときに、上述の書き込み方法と同様の方法で読み出すような方法なども考えられる。
【００３１】
上述の構成により、まず、表示装置１の使用者例えば運転者は、操作部２４を操作して、鏡面部材２を突出させて、使用位置にするとともに、表示装置１の動作モードとして、右側表示用画像を普通出力し、左側表示用画像を鏡面反転出力するように制御入力する。すると、マイコン２１の画像制御により、マルチビューディスプレイ３には、図１０に示すように右側表示用画像として画像Ａが表示され、また、左側表示用画像として画像Ｂが鏡面反転されて表示される。
【００３２】
このとき、視点１からは、画像Ａを直接見ることはできるが、鏡面反転された画像Ｂを直接見ることはできない。しかし、図９に示すように設けられた鏡面部材２により、マルチビューディスプレイ３上の鏡面反転された画像Ｂは反射され、視点１からは、鏡面部材２ごしに鏡面反転された画像Ｂを見ることができる。さらに、このとき鏡面反転された画像Ｂは、再び鏡面部材２において鏡面反転されるので、視点１からは、鏡像生成手段２２において鏡面反転される以前の画像である本来の画像Ｂを見ることが可能となるのである。即ち、この場合、視点１からは、上述したように図１０に示すような画像を見ることができるのである。
【００３３】
これにより、使用者は、1つのマルチビューディスプレイ３から２画面分の情報を得ることができることとなる。
これを利用して、次に示すように、１つの画像を拡大して表示することが考えられる。
まず、図１１に示すように、拡大して表示したい元の画像を、マイコン２１の制御により、左側表示用画像と右側表示用画像とに分割する。次に、左側表示用画像を鏡像生成手段２２により鏡面反転し、マルチビューディスプレイ３に、右側表示用画像と鏡面反転された左側表示用画像とをそれぞれ表示する。
【００３４】
こうすることで、視点１からは、分割される前の元の画像を２画面にリサイズされた大きさで見ることができ、大幅に視認性が向上することとなる。例えば、ナビゲーション装置１４による地図表示エリアを拡大することができ、これにより運転時の地図視認性が大幅に向上するのである。
図１２は、本実施形態の第１変形例を説明するための模式図である。
【００３５】
この図１２に示す変形例では、鏡面部材としてミラー２に代えて半光透過性を有するハーフミラー３１とすることで、右側には前記の実施形態の動作と同様に２画面分の情報を表示しつつ、左側にも１画面分の情報を表示することができる。これは、観測者が主として二人である場合に適した画像表示方法である。
そして、図１２に示す表示装置１は、ハーフミラー３１以外は前述の実施形態で示したものの構成と同じである。さらに、図１２の視点１は、右側（運転席側）の観測者としての視点であり、また、視点２は、左側（助手席側）の観測者としての視点である。
【００３６】
このような構成により、まず表示装置１の使用者は、操作部２４を操作して、ハーフミラー３１を突出させて使用位置にするとともに、表示装置１の動作モードとして、右側表示用画像及び左側表示用画像をともに普通出力するように制御入力する。
すると、マイコン２１の画像制御により、マルチビューディスプレイ３には、右側表示用画像として画像Ａが表示され、また、左側表示用画像として画像Ｂが表示される。このとき、視点１（運転席側）からは、図１３（Ａ）に示すように、画像Ａとハーフミラー３１により鏡面反転された画像Ｂとを見ることができる。
【００３７】
一方、視点２（助手席側）からは、図１３（Ｂ）に示すように、ハーフミラー３１を通して左側表示用画像Ｂを見ることができる。これにより、右側からは、２画面分の情報を得ることができると同時に、左側からも左側表示用の１画面分の情報を得ることが可能となる。
もちろん、動作モードとして、右側表示用画像を普通の出力し、左側表示用画像を鏡面反転して出力するようにすれば、視点１からは、画像Ａと鏡面反転されていない元の画像Ｂを見ることもでき、同時に、視点２からは、鏡像生成手段２２において鏡面反転された画像Ｂをハーフミラーを通して見ることもできる。
【００３８】
図１４は、本実施形態の第２変形例を説明するための模式図である。
図１４に示す表示装置１は、ハーフミラー３１をヒンジ３２を中心として回動可能に設けたものであり、これ以外の構成要素については、前述の実施形態あるいは変形例と同様である。なお、この場合、ハーフミラー３１を開いた使用位置〔図１４（Ａ）参照〕およびハーフミラー３１を閉じた収納位置〔図１４（Ｂ）参照〕において、それぞれハーフミラー３１を固定するミラーロック機構が設けられている。
【００３９】
ミラーロック機構は、ヒンジ３２を介してハーフミラー３１をロックしうる第１ロック部３４ａと、ハーフミラー３１の先端部をロックしうる第２ロック部３４ｂとをそなえている。第１ロック部３４ａは、ヒンジ３２の近傍位置に設けられ、第２ロック部３４ｂはハーフミラー３１が収納された状態でハーフミラー３１の先端部に近傍する位置に設けられる。
【００４０】
これにより、ハーフミラー３１が図１４（Ｂ）に示す収納位置にあるときには、第１，第２ロック部３４ａ，３４ｂが協働してハーフミラー３１をロックし、ハーフミラー３１を使用位置に回転移動させる場合は、アンロック状態となる。また、ハーフミラー３１が図１４（Ａ）に示す使用位置にあるときには、第１ロック部３４ａがヒンジ３２を介してハーフミラー３１をロックする。その結果、ハーフミラー３１を使用位置でロックすることが可能となる。例えば、第１，第２ロック部３４ａ，３４ｂとしては、上述の一実施形態にて説明したミラーロック機構３４と同様、電磁式ロック機構あるいは機械式ロック機構が用いられる。
【００４１】
このような構成により、ハーフミラー３１を使用位置にした時は、ハーフミラー３１を図１４（Ａ）に示すような位置でロックしながら、例えば第１変形例に示したような表示方法で表示装置１を動作させる。
また、ハーフミラー３１を、図１４（Ｂ）に示すような収納位置に固定すると、このようなハーフミラー収納状態においても、両側（運転席側、助手席側）からマルチビューディスプレイ３に表示されるそれぞれ個別の映像を見ることができるようになる。
【００４２】
このように、ハーフミラー３１の収納位置をヒンジ３２によりマルチビューディスプレイ３の表面上にとることにより、情報量を確保しつつも表示装置１の薄型化に貢献することができる。
図１５は、本発明の第２実施形態に係る表示装置を説明するための模式図であるが、本実施形態に係る表示装置１は、観測者が主として二人である場合に用いて好適なものである。そして、本実施形態では、ハーフミラー３１をマルチビューディスプレイ３の両側面に設けており、これにより、両側（運転席側、助手席側）から２画面分の情報をそれぞれ見ることができる。
【００４３】
すなわち、本実施形態の表示装置１は、マルチビューディスプレイ３の両側縁部にそれぞれハーフミラー３１を備えており、また、これらの駆動制御のためにモータ２６，ガイド部２８，ロック部３４，位置センサ２０ａ，２０ｂ（これらの部材２６，２８，３４，２０ａ，２０ｂについては、図１５では図示を省略しているが、その構造は図５，図６と同じ）がそれぞれについて設けられている。なお、２つのハーフミラー３１の駆動制御は個別に行なうようにしてもよいし、同時に駆動するように制御してもよい。そして、その他の構成要素については、前述の実施形態あるいは変形例と同様である。
【００４４】
これにより、まず、表示装置１の使用者は、操作部２４を操作して、両側のハーフミラー３１を突出させて使用位置にするとともに、表示装置１の動作モードとして、右側表示用画像及び左側表示用画像をともに普通出力するように制御入力する。すると、マイコン２１の画像制御により、マルチビューディスプレイ３には、右側表示用画像として画像Ａが表示され、また、左側表示用画像として画像Ｂが表示される。
【００４５】
このとき、視点１（運転席側）からは、図１６（Ａ）に示すように、右側のハーフミラー３１を通した画像Ａと、左側のハーフミラー３１により鏡面反転された画像Ｂとを見ることができる。
一方、視点２（助手席側）からは、図１６（Ｂ）に示すように、左側のハーフミラー３１を通した画像Ｂと、右側のハーフミラー３１により鏡面反転された画像Ａとを見ることができる。
【００４６】
もちろん、動作モードとして、右側表示用画像を普通の出力し、左側表示用画像を鏡面反転して出力するようにすれば、視点１からは、画像Ａと鏡面反転されていない元の画像Ｂを見ることもでき、同時に、視点２からは、鏡面反転された画像Ａ及び鏡面反転された画像Ｂを見ることもできる。
これにより、両側（運転席側、助手席側）から、２画面分の情報を得ることができるのである。
【００４７】
このように上記の各実施形態に係る表示装置１では、２画面表示装置において、画像の拡大表示が可能となり、視認性を向上させることができる。また、運手席側及び助手席側から２画面分の情報を得ることができ、情報量を容易に増加させることが可能となる。
なお、左右のハーフミラーの一方だけを使用位置にし、他方を収納位置にした状態での使用ももちろん可能である。この場合は、前述した第１変形例のような使い方になる。この場合は、各ハーフミラー３１の駆動制御は個別に行なうようにする。
【００４８】
また、ミラー２やハーフミラー３１は、マルチビューディスプレイ３の側縁あるいは両側縁に設けるほか、マルチビューディスプレイ３の上縁あるいは下縁また上下の両縁部に設けることもできる。このようにすれば、上下方向に拡大した画像を得ることが可能となる。
さらに、図３に示すマルチビューディスプレイ３は、原理的に３方向以上に対する表示も可能であるが、そのような３方向以上のマルチビューディスプレイにおいても本発明を適用できることは言うまでもない。
【００４９】
以上、本発明の各実施例について詳細に説明したが、本発明は上記の実施形態や変形例に限定されるものではなく、本発明の要旨を逸脱しない範囲において任意に変形して実施することができる。
【図面の簡単な説明】
【００５０】
【図１】本発明の一実施形態としての表示装置の設置形態の一例を示す図である。
【図２】本発明の一実施形態としての表示装置の外観を示す図である。
【図３】本発明の一実施形態としての表示装置の構成を示す構成図である。
【図４】本発明の一実施形態としての表示装置内のＬＣＤ画素層の構成を示す模式図である。
【図５】（Ａ），（Ｂ）はそれぞれ鏡面部材の位置制御を説明するための図である。
【図６】（Ａ），（Ｂ）はそれぞれモータによる鏡面部材の位置制御を説明するための図である。
【図７】本発明の一実施形態としての表示装置に係る制御フローを示す図である。
【図８】本発明の一実施形態としての表示装置に係る制御フローを示す図である。
【図９】本発明の一実施形態を説明するための模式図である。
【図１０】本発明の一実施形態に係る表示効果を説明するための図である。
【図１１】本発明の一実施形態に係る画像変換方法を説明するための図である。
【図１２】本発明の一実施形態の第１変形例を説明するための模式図である。
【図１３】（Ａ），（Ｂ）はそれぞれ本発明の一実施形態の第１変形例に係る表示効果を説明するための図である。
【図１４】（Ａ），（Ｂ）はそれぞれ本発明の一実施形態の第２変形例を説明するための模式図である。
【図１５】本発明の第２実施形態を説明するための模式図である。
【図１６】（Ａ），（Ｂ）はそれぞれ本発明の第２実施形態に係る表示効果を説明するための図である。
【符号の説明】
【００５１】
１  表示装置
２  鏡面部材（ミラー）
３  マルチビュー表示部材（マルチビューディスプレイ）
４  スロット部
５，１２  偏光板
６，９，１１  ガラス板
７  バリア
８  孔
１０  ＬＣＤ画素層
１３  バックライト
１４  ナビゲーション装置
１５  ＴＶ
１６  ＤＶＤプレーヤ
１７  画像合成処理部
１８  ＶＲＡＭ
１９  ＬＣＤドライバ
２０  センサ
２０ａ，２０ｂ  位置センサ
２１  マイコン
２２  鏡像生成手段
２３  モータ制御手段
２４  操作部
２５  モータドライバ
２６  モータ
２７  ラック
２８  ガイド部
２９  ギア
３０  センサ被検出部
３１  鏡面部材（ハーフミラー）
３２  ヒンジ
３３  表示制御手段
３４  ロック部（ミラーロック機構）
３４ａ，３４ｂ  第１ロック部，第２ロック部
【図１】
2007008235.tif 000003
【図２】
2007008235.tif 000004
【図３】
2007008235.tif 000005
【図４】
2007008235.tif 000006
【図５】
2007008235.tif 000007
【図６】
2007008235.tif 000008
【図７】
2007008235.tif 000009
【図８】
2007008235.tif 000010
【図９】
2007008235.tif 000011
【図１０】
2007008235.tif 000012
【図１１】
2007008235.tif 000013
【図１２】
2007008235.tif 000014
【図１３】
2007008235.tif 000015
【図１４】
2007008235.tif 000016
【図１５】
2007008235.tif 000017
【図１６】
2007008235.tif 000018